(57)【要約】【課題】機体内に給気換気風路と排気換気風路を備える２つの機体を伝熱を防止しながら一体化することで、給気換気風路から排気換気風路への冷気伝熱により機体に結露が発生することを防止できる消音ボックス付送風機を提供すること。【解決手段】箱状の機体３の内部に遠心送風機９を備え、連結板１９を機体吸込口１と機体吹出口２の面に面する機体３の外面に配置し、２つの機体３のうち、一方を給気換気風路２０とし他方を排気換気風路２１とし、２つの機体３は間隔２３をあけて向かい合わせて並列配置し、２つの機体３の間にできた空間２４にわたす２枚の連結板１９によって２つの機体を接続する構成としたことにより、給気換気風路から排気換気風路への冷気伝熱により２つの機体の間に結露が発生することを防止した消音ボックス付送風機を提供できる。【選択図】図１
2010255947.tif 000002
【特許請求の範囲】
【請求項１】
内部に渦巻状のスクロールケーシングを備えた遠心送風機を収め、かつ、機体吸込口と機体吹出口を対向して設け内部に風路が形成される箱状の機体を２つ用い、前記２つの機体のうち、一方を給気換気風路とし他方を排気換気風路とし、前記２つの機体は前記機体吸込口と前記機体吹出口以外の面を間隔をあけて向かい合わせて並列配置し、前記２つの機体間にできた空間にわたす少なくとも２枚の前記連結板によって前記２つの機体を接続し、前記連結板は、前記機体吸込口と前記機体吹出口の面に面する前記機体の外面に配置したことを特徴とする消音ボックス付送風機。
【請求項２】
前記機体は、設置時の垂直方向となる機体高さ寸法を機体幅寸法より小さく構成し、前記連結板は前記機体の機体吸込口を有する面と機体吹出口を有する面のおのおの２面に垂直の稜辺方向に沿って配する構成としたことを特徴とする請求項１記載の消音ボックス付送風機。
【請求項３】
前記機体は、複数の機体板を機体組立用ねじで締結して組み立てられ、前記連結板は、前記連結板固定用ねじを共用する連結板固定用ねじにて前記機体に固定したことを特徴とする請求項１または２記載の消音ボックス付送風機。
【請求項４】
前記連結板に断熱材を貼り付ける構成としたことを特徴とする請求項１から３のいずれかに記載の消音ボックス付送風機。
【請求項５】
前記連結板に伝熱防止用の開口を設ける構成としたことを特徴とする請求項１から４のいずれかに記載の消音ボックス付送風機。
【請求項６】
前記連結板に放熱板を突出して固定する構成としたことを特徴とする請求項１から５のいずれかに記載の消音ボックス付送風機。
【請求項７】
前記連結板に一体の凹凸部を設ける構成としたことを特徴とする請求項１から６のいずれかに記載の消音ボックス付送風機。
【請求項８】
２つの前記機体に納められた各々の遠心送風機を連結電源コードにより並列接続する構成としたことを特徴とする請求項１から７のいずれかに記載の消音ボックス付送風機。
【請求項９】
前記連結電源コードを保護する連結電源コード保護カバーを前記機体組立用ねじにて前記機体に固定する構成としたことを特徴とする請求項８載の消音ボックス付送風機。
【請求項１０】
前記給気換気風路をもつ機体の外面には断熱材を貼り付ける構成としたことを特徴とする請求項１から９のいずれかに記載の消音ボックス付送風機。
【発明の詳細な説明】
【技術分野】
【０００１】
本発明は、換気送風機器など消音ボックス内部に送風機を内蔵して使用される消音ボックス付送風機に関する。
【背景技術】
【０００２】
従来、この種の消音ボックス付送風機としては、１つの機体内に遠心送風機のを２つ配置し、機体内の給気換気風路と排気換気風路の伝熱を遮断する複数の伝熱防止板を備えたものが知られている（例えば、特許文献１参照）。
【０００３】
以下、その消音ボックス付送風機について、図６を参照しながら説明する。
【０００４】
図６に示すように、従来の消音ボックス付送風機は、箱状の機体１０６に吸込側ダクト１０３を接続する機体吸込口１０２と、吹出側ダクト１０５を接続する機体吹出口１０４を有している。この機体１０６は天井裏に設置される。機体１０６の側面には、空気を吸い込む吸込側に機体吸込口１０２、空気を吹き出す吹出側に機体吹出口１０４を設ける。機体１０６の内部には、スクロールケーシング１０７とモーター１０８とケーシング吸込口１０９と羽根車１１０を有した遠心送風機１１１を備えている。機体１０６の内部は固定伝熱防止板１１２と着脱自在の点検伝熱防止板１１３からなる伝熱防止板１１４により２つの空間に分割され、給気換気風路１１５と排気換気風路１１６を設けた構成となっている。
【０００５】
そして、遠心送風機１１１を運転すると、室内１１７の空気は、排気換気風路１１６の吸込側ダクト１０３を通って室外１１８へ排気され、室外１１８の空気は、給気換気風路１１５の吸込側ダクト１０３を通って室内１１７へ給気される。
【先行技術文献】
【特許文献】
【０００６】
【特許文献１】特開平１１−３７５２８号公報
【発明の概要】
【発明が解決しようとする課題】
【０００７】
このような従来の消音ボックス付送風機では、１つの機体内に給気換気風路と排気換気風路を備えているため、給気換気風路から排気換気風路への冷気伝熱により機体に結露が発生しやすくなっている。結露を防止するためには、複雑な複数の伝熱防止板を構成する必要があるという課題がある。
【０００８】
また、従来の構造では機体の高さ寸法の小型化に比例して、伝熱防止板は小さくなり断熱効果が下がり、結果的に機体の天底面からの伝熱が増加する。よって、居住空間を広くするため天井裏は小さくしたいという市場要望に答えるため、機体の高さ寸法を小さくした場合、伝熱の防止が困難となるという課題がある。
【０００９】
本発明は、このような従来の課題を解決するものであり、機体内に給気換気風路と排気換気風路を備える２つの機体を伝熱を防止しながら一体化し、給気換気風路から排気換気風路への冷気伝熱により機体に結露が発生することを防止できる消音ボックス付送風機を提供することを目的とする。
【課題を解決するための手段】
【００１０】
本発明の消音ボックス付送風機は、上記目的を達成するために、内部に渦巻状のスクロールケーシングを備えた遠心送風機を収め、かつ、機体吸込口と機体吹出口を対向して設け内部に風路が形成される箱状の機体を２つ用い、前記機体は複数の機体板を機体組立用ねじにて締結して組み立てられ、連結板を前記機体吸込口と前記機体吹出口の面に面する前記機体の外面に配置し、前記２つの機体のうち、一方を給気換気風路とし他方を排気換気風路とし、前記２つの機体は前記機体吸込口と前記機体吹出口以外の面を間隔をあけて向かい合わせて並列配置し、前記２つの機体間にできた空間にわたす少なくとも２枚の前記連結板によって前記２つの機体を接続する構成としたものである。
【発明の効果】
【００１１】
本発明によれば、内部に渦巻状のスクロールケーシングを備えた遠心送風機を収め、かつ、機体吸込口と機体吹出口を対向して設け内部に風路が形成される箱状の機体を２つ用い、前記機体は複数の機体板を機体組立用ねじにて締結して組み立てられ、連結板を前記機体吸込口と前記機体吹出口の面に面する前記機体の外面に配置し、前記２つの機体のうち、一方を給気換気風路とし他方を排気換気風路とし、前記２つの機体は前記機体吸込口と前記機体吹出口以外の面を間隔をあけて向かい合わせて並列配置し、前記２つの機体間にできた空間にわたす少なくとも２枚の前記連結板によって前記２つの機体を接続する構成としたことにより、機体内に給気換気風路と排気換気風路を備える２つの送風機を一体化し、給気換気風路から排気換気風路への冷気伝熱により２つの機体の間に結露が発生することを防止できるという効果のある消音ボックス付送風機を提供することができる。
【図面の簡単な説明】
【００１２】
【図１】本発明の実施の形態１の消音ボックス付送風機の平面構成図
【図２】同消音ボックス付送風機の設置状態を示す斜視図
【図３】同放熱板を取り付けた連結板を用いた消音ボックス付送風機の平面構成図
【図４】同凹凸部を設けた連結板を用いた消音ボックス付送風機の平面構成図
【図５】同連結電源コードの接続を示す消音ボックス付送風機の平面構成図
【図６】従来の消音ボックス付送風機の平面構成図
【発明を実施するための形態】
【００１３】
本発明の請求項１記載の消音ボックス付送風機は、内部に渦巻状のスクロールケーシングを備えた遠心送風機を収め、かつ、機体吸込口と機体吹出口を対向して設け内部に風路が形成される箱状の機体を２つ用い、前記機体は複数の機体板を機体組立用ねじにて締結して組み立てられ、連結板を前記機体吸込口と前記機体吹出口の面に面する前記機体の外面に配置し、前記２つの機体のうち、一方を給気換気風路とし他方を排気換気風路とし、前記２つの機体は前記機体吸込口と前記機体吹出口以外の面を間隔をあけて向かい合わせて並列配置し、前記２つの機体間にできた空間にわたす少なくとも２枚の前記連結板によって前記２つの機体を接続する構成としたものであり、機体吸込口と機体吹出口以外の面を間隔をあけて向かい合わせて並列配置したため、機体吸込口と機体吹出口以外の面は風路の内部気流の衝突が多く給気換気風路また排気換気風路の気流温度が機体表面に伝熱しやすい部位であるが、機体吸込口と機体吹出口以外の面を間隔をあけて向かい合わせて並列配置したことにより２つの機体の間の伝熱を防止でき、また連結板を風路の内部気流の衝突の少ない機体吸込口と機体吹出口の面に面する機体の外面に配置したことにより２つの機体の間の伝熱を防止できるという作用を有する。
【００１４】
また、機体は設置時の垂直方向となる機体高さ寸法を機体幅寸法より小さく構成し、連結板は前記機体の機体吸込口を有する面と機体吹出口を有する面のおのおの２面に垂直の稜辺方向に沿って配する構成としたものであり、機体高さ寸法を機体幅寸法より小さく構成し、連結板は機体吸込口を有する面と機体吹出口を有する面のおのおの２面に機体高さ方向となる垂直の稜辺方向に沿って配したため、前記機体吸込口と前記機体吹出口の面は内部気流の衝突が少なく給気換気風路また排気換気風路の気流温度が機体表面に伝熱がし難く、また機体高さ寸法は機体幅寸法より小さく接触による伝熱がし難いことで２つの機体の間の伝熱を防止できるという作用を有する。
【００１５】
また、連結板を機体に連結板固定用ねじにて固定し、機体組立用ねじと前記連結板固定用ねじを共用する構成としたものであり、機体組立用ねじと連結板固定用ねじを共用したため、ねじ本数が少なく簡単な構造にできながら、ねじ本数を削減したのでねじによる２つの機体の間の伝熱を防止できるという作用を有する。
【００１６】
また、連結板に断熱材を貼り付ける構成としたものであり、連結板に断熱材を貼り付けたため、連結板を介しての２つの機体の間の伝熱を防止できるという作用を有する。
【００１７】
また、連結板に伝熱防止用の開口を設ける構成としたものであり、連結板に伝熱防止用の開口を設けたため、連結板を介しての２つの機体の間の伝熱を防止できるという作用を有する。
【００１８】
また、連結板に放熱板を突出して固定する構成としたものであり、連結板に放熱板を突出して固定したため、連結板の表面積の増加での放熱作用により連結板を介しての２つの機体の間の伝熱を防止できるという作用を有する。
【００１９】
また、連結板に一体の凹凸部を設ける構成としたものであり、連結板に一体の凹凸部を設けたため、連結板の表面積の増加での放熱作用により連結板を介しての２つの機体の間の伝熱を防止できるという作用を有する。
【００２０】
また、２つの機体の各々の遠心送風機を連結電源コードにより並列接続する構成としたものであり、２つの機体の各々の遠心送風機を連結電源コードにより並列接続したため、製品設置時に２つのうちどちらか一方の機体に電源接続施工するだけで両方の機体を同時に運転することができるという作用を有する。
【００２１】
また、連結電源コードを保護する連結電源コード保護カバーを機体組立用ねじにて機体に固定する構成としたものであり、連結電源コードを保護する連結電源コード保護カバーを機体組立用ねじにて機体に固定したため、ねじ本数が少なく簡単な構造にできながら、ねじ本数を削減した分のねじによる２つの機体の間の伝熱を防止できるという作用を有する。
【００２２】
また、給気換気風路をもつ機体の外面には断熱材を貼り付ける構成としたものであり、給気換気風路をもつ機体の外面には断熱材を貼り付けため、前記断熱材の断熱作用により２つの機体の間の伝熱を防止できるという作用を有する。
【００２３】
以下、本発明の実施の形態について、図面を参照しながら説明する。
【００２４】
（実施の形態１）
図１および図２に示すように、本実施の形態の消音ボックス付送風機は、箱状の機体３の対向する側面に機体吸込口１と機体吹出口２を設けている。機体吸込口１には、吸込側ダクト４を接続する吸込アダプター５、および機体吹出口２には、吹出側ダクト６を接続する吹出アダプター７を配している。機体３の内部には、機体吸込口１から機体吹出口２に至る風路８を有し、その風路８に遠心送風機９を備えている。遠心送風機９は機体吹出口２に対向した吐出口１０と渦巻状のスクロールケーシング１１とケーシング吸込口１２を設けたケーシング側板１３を側面に備えている。羽根車１４はケーシング吸込口１２近傍に固定したモーター１５により駆動される。ケーシング吸込口１２に対向する機体３の一面には、点検用開口部１６を備える。また、機体３は複数の機体板１７を機体組立用ねじ１８にて締結して組み立てられている。この機体３を２つ用いて給気と排気両方の機能を持つ消音ボックス付送風機とする。２つの機体３は機体吸込口１と機体吹出口２以外の面２２を間隔２３をあけて向かい合わせて並列配置し、２つの機体３の間にできた空間２４にわたす２枚の連結板１９によって２つの機体を接続する。連結板１９は、機体吸込口１と機体吹出口２の面に面する機体３の外面に配置する。連結された２つの機体３のうち、一方を給気換気風路２０とし他方を排気換気風路２１とする。
【００２５】
また、機体３は設置時の垂直方向となる機体高さ寸法２５を機体幅寸法２６より小さく構成し、連結板１９は機体３の機体吸込口１を有する面と機体吹出口２を有する面のおのおの２面に垂直の稜辺２７方向に沿って配する構成とする。
【００２６】
また、連結板１９は、機体３に機体組立用ねじ１８と共用する連結板固定用ねじ２８にて固定する。また、連結板１９には、断熱材２９を貼り付ける。
【００２７】
また、図２に示すように、天井裏３５において機体吸込口１に吸込側ダクト４、機体吹出口２に吹出側ダクト６を接続して機体３は施工され、機体３は、吸込側に機体吸込口１、吹出側に機体吹出口２、機体３の内部に遠心送風機９を配している。そして、遠心送風機９を運転すると、室内３６の空気は、排気換気風路２１の吸込側ダクト４を通って室外３７へ排気され、室外３７の空気は、給気換気風路２０の吸込側ダクト４を通って室内３６へ給気される。室外３７側の吸込側ダクト４の先端には、虫や埃の浸入を防ぐため、給気フィルター３８が取り付けられることが一般的である。天井裏３５と室内３６は天井材３９で仕切られ、天井材３９の機体３の下部に天井点検口４０を備えている。
【００２８】
上記構成の作用について説明する。機体吸込口１と機体吹出口２以外の面は風路８の内部気流４１の衝突が多く給気換気風路２０また排気換気風路２１の気流温度が機体３の表面に伝熱しやすい部位である。しかし、機体吸込口１と機体吹出口２以外の面２２を間隔２３をあけて向かい合わせて並列配置したことにより、２つの機体３の間の伝熱を防止できる。また、連結板１９を風路８の内部気流４１の衝突の少ない機体吸込口１と機体吹出口２の面に面する機体３の外面に配置したことにより、２つの機体３の間の伝熱を防止できる。
【００２９】
また、連結板１９は、内部気流４１の衝突が少ない機体吸込口１を有する面と機体吹出口２を有する面に固定して設けたので、給気換気風路２０また排気換気風路２１の気流温度が機体３の表面に伝熱し難くなる。また、連結板１９を、機体幅寸法２６より寸法の小さい機体３の高さ方向（機体高さ寸法２５）すなわち、垂直の稜辺２７方向に沿って配して、接触部分を少なくしたため、２つの機体３の間の伝熱を防止できる。
【００３０】
また、機体組立用ねじ１８と連結板固定用ねじ２８を共用したため、ねじ本数が少なく簡単な構造にできながら、ねじ本数を削減したのでねじによる２つの機体３の間の伝熱を防止できる。
【００３１】
また、連結板１９に断熱材２９を貼り付けたため、連結板を介しての２つの機体の間の伝熱を防止できる。
【００３２】
このように本発明の実施の形態１の消音ボックス付送風機によれば、機体内に給気換気風路と排気換気風路を備える２つの送風機を一体化し、給気換気風路から排気換気風路への冷気伝熱により２つの機体の間に結露が発生することを防止しながら、垂直方向の機体高さ寸法を薄型化でき、簡単な構造にできることとなる。
【００３３】
なお、機体の高さ寸法を小さくできることから、居住空間を広くするため機体を設置する天井裏は小さくしたいという市場要望に答えることもできる。
【００３４】
図３に示すように、連結板１９に伝熱防止用の開口４２を設けることにより、連結板１９を介したの２つの機体３の間の伝熱を防止できる。
【００３５】
また、連結板１９に放熱板４３を突出して固定することにより、連結板１９の表面積の増加での放熱作用により連結板１９を介しての２つの機体３の間の伝熱を防止できる。
【００３６】
図４に示すように、連結板１９に一体の凹凸部４４を設けることにより、連結板１９の表面積の増加での放熱作用により連結板１９を介しての２つの機体３の間の伝熱を防止できる。
【００３７】
図５に示すように、２つの機体３の各々の遠心送風機９を連結電源コード４５により並列接続することにより、製品設置時に２つのうちどちらか一方の機体３に電源接続施工するだけで両方の機体３を同時に運転することができる。
【００３８】
また、連結電源コード４５を保護する連結電源コード保護カバー４６を機体組立用ねじ１８にて機体３に固定することにより、ねじ本数が少なく簡単な構造にできながら、ねじ本数を削減した分のねじによる２つの機体３の間の伝熱を防止できる。
【００３９】
また、給気換気風路２０をもつ機体３の外面には断熱材４７を貼り付けることにより、断熱材４７の断熱作用により２つの機体３の間の伝熱を防止できる。
【産業上の利用可能性】
【００４０】
換気送風機器、空気調和機、除湿機、加湿器、空気清浄機などの空気搬送目的以外に、機体吹出口からの送風を用いて設備機器の冷却ができ、機体に結露が発生することを防止することで安全性が高く、また、コンパクトに設置できる設備機器の送風の用途にも適用できる。
【符号の説明】
【００４１】
１    機体吸込口
２    機体吹出口
３    機体
８    風路
９    遠心送風機
１１  スクロールケーシング
１７  機体板
１８  機体組立用ねじ
１９  連結板
２０  給気換気風路
２１  排気換気風路
２２  面
２３  間隔
２４  空間
２５  機体高さ寸法
２６  機体幅寸法
２７  垂直の稜辺
２８  連結板固定用ねじ
２９  断熱材
４２  開口
４３  放熱板
４４  凹凸部
４５  連結電源コード
４６  連結電源コード保護カバー
４７  断熱材
【図１】
2010255947.tif 000003
【図２】
2010255947.tif 000004
【図３】
2010255947.tif 000005
【図４】
2010255947.tif 000006
【図５】
2010255947.tif 000007
【図６】
2010255947.tif 000008